(57)【特許請求の範囲】
【請求項１】
直線偏光板と、視野角特性を補償する光学機能層とが直接積層され、液晶セルとの間にカラーフィルムを挟んで直接積層される光学フィルムであって、
前記光学機能層は、
支持体と、前記支持体上に形成された垂直配向膜と、前記垂直配向膜上に設けられ、前記垂直配向膜の配向規制力により配向した状態で固化した液晶材料による前記光学機能層とを備える光学フィルム用転写体から前記直線偏光板へ直接転写され、
４５０ｎｍ〜６５０ｎｍの波長λにおける斜め入射角θの位相差Ｒｅθ（λ）が、Ｒｅ＋θ（λ）とＲｅ−θ（λ）とで異なり、少なくとも入射角θが−４０度から＋４０度の間でＲｅ＋θ（λ）＞Ｒｅ−θ（λ）を満たし、
前記液晶材料は、前記直線偏光板側では水平方向に配向し、前記光学機能層の厚み方向に沿って前記直線偏光板から遠ざかるに従って徐々に立ち上がり垂直方向に配向する
光学フィルム。
【請求項２】
前記液晶材料は、空気界面側の液晶分子を水平配向させる機能を有する界面活性剤を少なくとも１種有する請求項１に記載の光学フィルム。
【請求項３】
液晶セルに請求項１又は請求項２に記載の光学フィルムを配置した
画像表示装置。
【発明の詳細な説明】
【技術分野】
【０００１】
本発明は、例えばＴＮ（twisted  nematic）液晶による液晶表示パネルの視野角特性の補償に適用することができる。
【背景技術】
【０００２】
従来、ＴＮ液晶による液晶表示パネルでは補償フィルムと呼ばれる光学フィルムを配置して視野角特性を補償している。特許文献１〜３には、このよう補償フィルムに関する工夫が提案されている。
【０００３】
また特許文献４には、画像表示パネルで使用する光学フィルムを転写法により作製する工夫が提案されている。なおここで転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【０００４】
ところでこの種の補償フィルムにあっては、一段と薄型化することが求められている。
【先行技術文献】
【特許文献】
【０００５】
【特許文献１】特許第４３０９０２２号公報
【特許文献２】特許第２８０２７１９号公報
【特許文献３】特許第２７６７３８２号公報
【特許文献４】特許第４５９８９５０号公報
【発明の概要】
【発明が解決しようとする課題】
【０００６】
本発明はこのような状況に鑑みてなされたものであり、視野角特性を補償する光学フィルムに関して従来に比して一段と薄型化することを目的とする。
【課題を解決するための手段】
【０００７】
（１）  支持体と、
前記支持体上に形成された垂直配向膜と、
前記垂直配向膜の上に設けられ、前記垂直配向膜の配向規制力により配向した状態で固化した液晶材料による光学機能層を備え、
前記光学機能層は、
４５０ｎｍ〜６５０ｎｍの波長λにおける斜め入射角θの位相差（Ｒｅθ（λ））が、Ｒｅ+θ（λ）とＲｅ-θ（λ）とで異なる。
【０００８】
（１）によれば、光学機能層が逆ハイブリッドの特性であることにより、転写法により直線偏光板に転写するとハイブリッドの特性により光学機能層を構成することができ、その結果、転写法により直線偏光板と一体化して全体の厚みを薄くするようにして、十分に視野角特性を補償することができる。
【０００９】
（２）  直線偏光板と、視野角特性を補償する光学機能層とが積層された光学フィルムであって、
前記光学機能層が、（１）に記載の光学フィルム用転写体から転写した光学機能層である。
【００１０】
（２）によれば、転写法により直線偏光板と一体化して全体の厚みを薄くするようにして、十分に視野角特性を補償することができる光学フィルムを提供することができる。
【００１１】
（３）  （２）において、前記液晶材料は、空気界面側の液晶分子を水平配向させる機能を有する界面活性剤を少なくとも1種有する。
【００１２】
（３）によれば、より具体的構成により光学フィルムを構成することができる。
【００１３】
（４）  液晶セルに（２）又は（３）に記載の光学フィルムを配置した画像表示装置。
【００１４】
（４）によれば、転写法により直線偏光板と一体化して全体の厚みを薄くするようにして、十分に視野角特性を補償することができる光学フィルムを使用した画像表示装置を提供することができる。
【００１５】
（５）  支持体上に、垂直配向膜を作製する垂直配向膜作製工程と、
前記垂直配向膜の上に、塗工液を塗工して乾燥、硬化させることにより、４５０ｎｍ〜６５０ｎｍの波長λにおける斜め入射角θの位相差（Ｒｅθ（λ））が、Ｒｅ+θ（λ）とＲｅ-θ（λ）とで異なる光学機能層を作製する光学機能層作製工程とを備える。
【００１６】
（５）によれば、光学機能層を逆ハイブリッドの特性により作製できることにより、転写法により直線偏光板に転写してハイブリッドの特性により光学機能層を構成することができ、その結果、転写法により直線偏光板と一体化して全体の厚みを薄くするようにして、十分に視野角特性を補償することができる。
【００１７】
（６）  支持体上に、垂直配向膜を作製する垂直配向膜作製工程と、
前記垂直配向膜の上に、塗工液を塗工して乾燥、硬化させることにより、４５０ｎｍ〜６５０ｎｍの波長λにおける斜め入射角θの位相差（Ｒｅθ（λ））が、Ｒｅ+θ（λ）とＲｅ-θ（λ）とで異なる光学機能層を作製する光学機能層作製工程と、
転写法により、直線偏光板に前記光学機能層を積層する転写工程とを備える
【００１８】
（６）によれば、光学機能層を逆ハイブリッドの特性により作製できることにより、転写法により直線偏光板に転写してハイブリッドの特性により光学機能層を構成することができ、その結果、転写法により直線偏光板と一体化して全体の厚みを薄くするようにして、十分に視野角特性を補償することができる。
【発明の効果】
【００１９】
視野角特性を補償する光学フィルムに関して、従来に比して一段と薄型化することを目的とすることができる。
【図面の簡単な説明】
【００２０】
【図１】本発明の第１実施形態に係る画像表示装置である液晶表示装置を示す断面図である。
【図２】図１の液晶表示装置に適用される光学フィルム用転写体を示す断面図である。
【図３】図２の光学フィルム用転写体に係る計測結果を示す特性曲線図である。
【図４】図１の液晶表示装置に適用される光学フィルムの製造工程を示すフローチャートである。
【発明を実施するための形態】
【００２１】
〔第１実施形態〕
図１は本発明の第１実施形態に係る画像表示装置を示す断面図である。この画像表示装置１は、液晶表示装置であり、バックライト装置２、液晶表示パネル３が順次配置される。この画像表示装置１は、バックライト装置２からの出射光を液晶表示パネル３により空間変調して出射し、これにより所望の画像を表示する。
【００２２】
ここでバックライト装置２は、図示しない発光ダイオード、冷陰極線管等による一次光源の出射光を液晶表示パネル３に向けて出射する面光源装置であり、直射型、サイドライト装置型等、種々の構成を適用することができる。
【００２３】
液晶表示パネル３は、直線偏光板５、６をそれぞれ備えた光学フィルム７、８により液晶セル９を挟持して構成され、バックライト装置２からの出射光を光強度変調光に変換して出射することにより所望の画像を表示する。なお液晶表示パネル３は、出射面側直線偏光板５と液晶セル９との間にカラーフィルム（図示せず）が配置され、これにより所望のカラー画像を表示する。液晶セル９は、駆動用の透明電極を作成してなるガラス板により液晶材料を挟持して構成される。ここでこの実施形態において、液晶セル９は、ＴＮモードの液晶材料により構成されるものの、実用上十分な特性を確保できる場合には、ＩＰＳ（Ｉｎ  Ｐｌａｎｅ  Ｓｗｉｔｃｈｉｎｇ）等、種々の液晶材料を広く適用することができる。
【００２４】
光学フィルム７、８は、それぞれ直線偏光板５、６に、視野角特性を補償する光学機能層１０、１１を、垂直配向膜１２、１３と一体に転写法により積層して構成され、これにより視野角特性の補償に供する光学フィルムを別体に作製して積層する場合に比して厚みを薄くできるように構成される。なお光学機能層１０、１１のみを転写するようにしてもよい。
【００２５】
ここで直線偏光板５、６は、例えばＴＡＣ（Triacetylcellulose）等による透明フィルムからなる基材５Ａ、６Ａに、ヨウ素化合物分子を吸着配向させて直線偏光板としての機能を担う光学機能層５Ｂ、６Ｂが作製される。光学フィルム７、８は、この光学機能層５Ｂ、６Ｂに紫外線硬化性樹脂等による接着剤を使用して光学機能層１０、１１が積層され、これによっても全体の厚みを薄くできるように構成される。
【００２６】
図２は、光学機能層１０、１１の転写に供する光学フィルム用転写体を示す図である。ここで光学フィルム用転写体にあっては、光学フィルム７、８で同一に構成されることにより、以下においては、光学フィルム７の光学フィルム用転写体についてのみ詳述し、光学フィルム８側の構成については、図２において括弧書きにより示す。光学フィルム用転写体２０は、支持体２１の上に、垂直配向膜１２、光学機能層１０が順次作製される。ここで支持体２１は、支持体として機能する各種のフィルム材を広く適用することができるものの、この実施形態ではＰＥＴ（polyethylene  terephthalate）フィルムによる透明フィルム材が適用される。
【００２７】
垂直配向膜１２は、垂直方向の配向規制力を備えた配向膜であり、Ｃプレートの作製に供する各種垂直配向膜、ＶＡ液晶表示装置等に適用される各種の垂直配向膜を適用することができ、例えばポリイミド配向膜、ＬＢ膜による配向膜等を適用することができる。具体的に、配向膜１２の構成材料としては、例えば、レシチン、シラン系界面活性剤、チタネート系界面活性剤、ピリジニウム塩系高分子界面活性剤、ｎ−オクタデシルトリエトキシシラン等のシランカップリング系垂直配向膜用組成物、長鎖アルキル基や脂環式構造を側鎖に有する可溶性ポリイミドや長鎖アルキル基や脂環式構造を側鎖に有するポリアミック酸等のポリイミド系垂直配向膜用組成物を適用することができる。
【００２８】
光学機能層１０は、Ａプレートの作成に供する液晶材料による位相差層であり、垂直配向膜１２の上に塗工液を塗工した後、乾燥、硬化することにより、垂直配向膜１２の配向規制力により配向した状態で液晶材料が固化して作製される。ここでこの実施形態において、この光学機能層１０に係る液晶材料は、棒状液晶または円盤状液晶により代表される液晶材料であり、４５０ｎｍ〜６５０ｎｍの波長λにおける斜め入射角θの位相差（Ｒｅθ（λ））が、Ｒｅ+θ（λ）とＲｅ-θ（λ）とで異なる光学機能層１０を作製する液晶材料が適用される。なおここでこの位相差に係る入射角の正側及び負側は、それぞれ液晶材料の塗工における下流側方向及び上流側方向における入射角である。またＲｅ+θ（λ）とＲｅ-θ（λ）とで位相差（Ｒｅθ（λ））が異なるとは、例えば入射角θ＝−３０度及び＋３０度における面内位相差Ｒｅが１０ｎｍ以上相違していることを意味するものであり、より具体的に、少なくとも入射角θが−４０度から＋４０度の範囲で、入射角θの負側から正側に面内位相差Ｒｅが単調増加する特性（図３参照）である。ここでこのような液晶材料は、いわゆる逆ハイブリッドの特性を発現する液晶材料である。また逆ハイブリッドの特性は、垂直配向膜近傍では、液晶材料が垂直方向に配向しており、垂直配向膜から遠ざかるに従って徐々に液晶材料が揃って水平方向に倒れる（寝る）特性である。
【００２９】
ここで光学機能層１０に係る液晶材料には、空気界面側の液晶分子を水平配向させる機能を有する界面活性剤を少なくとも1種含有させることにより、一段と確実にこの水平方向に倒れる特性を発現させることができる。
【００３０】
この界面活性剤は、空気界面側の液晶分子水平配向に誘起できるものであれば、何れの材料をも適用することができるものの、好ましくは、液晶層/配向膜界面ではなく、液晶層の空気界面側に偏在する材料であることが好ましい。なお液晶分子を水平配向に誘起するとは、棒状液晶ではポジティブＡプレートになることを意味し、円盤状液晶ではネガティブＣプレートになることを意味する。
【００３１】
より具体的に、界面活性剤は、イオン性界面活性剤、非イオン性界面活性剤を適用することきる。含有することができる界面活性剤としては、アルキルカルボン酸塩、アルキルリン酸塩、アルキルスルホン酸塩、フルオロアルキルカルボン酸塩、フルオロアルキルリン酸塩、フルオロアルキルスルホン酸塩、ポリオキシエチレン誘導体、フルオロアルキルエチレンオキシド誘導体、ポリエチレングリコール誘導体、アルキルアンモニウム塩、フルオロアルキルアンモニウム塩類、シリコーン誘導体等をあげることができ、特に含フッ素界面活性剤、シリコーン誘導体が好ましい。
【００３２】
更に具体的には「ＭＥＧＡＦＡＣ Ｆ−１１０」、「ＭＥＧＡＦＡＣＦ−１１３」、「ＭＥＧＡＦＡＣ  Ｆ−１２０」、「ＭＥＧＡＦＡＣ  Ｆ−８１２」、「ＭＥＧＡＦＡＣ  Ｆ−１４２Ｄ」、「ＭＥＧＡＦＡＣ  Ｆ−１４４Ｄ」、「ＭＥＧＡＦＡＣ  Ｆ−１５０」、「ＭＥＧＡＦＡＣ  Ｆ−１７１」、「ＭＥＧＡＦＡＣ  Ｆ−１７３」、「ＭＥＧＡＦＡＣ  Ｆ−１７７」、「ＭＥＧＡＦＡＣ  Ｆ−１８３」、「ＭＥＧＡＦＡＣ  Ｆ−１９５」、「ＭＥＧＡＦＡＣ  Ｆ−８２４」、「ＭＥＧＡＦＡＣ  Ｆ−８３３」、「ＭＥＧＡＦＡＣ  Ｆ−１１４」、「ＭＥＧＡＦＡＣ  Ｆ−４１０」、「ＭＥＧＡＦＡＣ  Ｆ−４９３」、「ＭＥＧＡＦＡＣ  Ｆ−４９４」、「ＭＥＧＡＦＡＣ  Ｆ−４４３」、「ＭＥＧＡＦＡＣ  Ｆ−４４４」、「ＭＥＧＡＦＡＣ  Ｆ−４４５」、「ＭＥＧＡＦＡＣ  Ｆ−４４６」、「ＭＥＧＡＦＡＣ  Ｆ−４７０」、「ＭＥＧＡＦＡＣ  Ｆ−４７１」、「ＭＥＧＡＦＡＣ  Ｆ−４７４」、「ＭＥＧＡＦＡＣ  Ｆ−４７５」、「ＭＥＧＡＦＡＣ  Ｆ−４７７」、「ＭＥＧＡＦＡＣ  Ｆ−４７８」、「ＭＥＧＡＦＡＣ  Ｆ−４７９」、「ＭＥＧＡＦＡＣ  Ｆ−４８０ＳＦ」、「ＭＥＧＡＦＡＣ  Ｆ−４８２」、「ＭＥＧＡＦＡＣ  Ｆ−４８３」、「ＭＥＧＡＦＡＣ  Ｆ−４８４」、「ＭＥＧＡＦＡＣ  Ｆ−４８６」、「ＭＥＧＡＦＡＣ  Ｆ−４８７」、「ＭＥＧＡＦＡＣ  Ｆ−４８９」、「ＭＥＧＡＦＡＣ  Ｆ−１７２Ｄ」、「ＭＥＧＡＦＡＣ  Ｆ−１７８Ｋ」、「ＭＥＧＡＦＡＣ  Ｆ−１７８ＲＭ」、「ＭＥＧＡＦＡＣ  Ｒ−０８」、「ＭＥＧＡＦＡＣ  Ｒ−３０」、「ＭＥＧＡＦＡＣ  Ｆ−４７２ＳＦ」、「ＭＥＧＡＦＡＣ  ＢＬ−２０」、「ＭＥＧＡＦＡＣ  Ｒ−６１」、「ＭＥＧＡＦＡＣ  Ｒ−９０」、「ＭＥＧＡＦＡＣ  ＥＳＭ−１」、「ＭＥＧＡＦＡＣ  ＭＣＦ−３５０ＳＦ」（以上、ＤＩＣ株式会社製）を適用することができる。
【００３３】
またさらに「フタージェント１００」、「フタージェント１００Ｃ」、「フタージェント１１０」、「フタージェント１５０」、「フタージェント１５０ＣＨ」、「フタージェントＡ」、「フタージェント１００Ａ-Ｋ」、「フタージェント５０１」、「フタージェント３００」、「フタージェント３１０」、「フタージェント３２０」、「フタージェント４００ＳＷ」、「ＦＴＸ-４００Ｐ」、「フタージェント２５１」、「フタージェント２１５Ｍ」、「フタージェント２１２ＭＨ」、「フタージェント２５０」、「フタージェント２２２Ｆ」、「フタージェント２１２Ｄ」、「ＦＴＸ-２１８」、「ＦＴＸ-２０９Ｆ」、「ＦＴＸ-２１３Ｆ」、「ＦＴＸ-２３３Ｆ」、「フタージェント２４５Ｆ」、「ＦＴＸ-２０８Ｇ」、「ＦＴＸ-２４０Ｇ」、「ＦＴＸ-２０６Ｄ」、「ＦＴＸ-２２０Ｄ」、「ＦＴＸ-２３０Ｄ」、「ＦＴＸ-２４０Ｄ」、「ＦＴＸ-２０７Ｓ」、「ＦＴＸ-２１１Ｓ」、「ＦＴＸ-２２０Ｓ」、「ＦＴＸ-２３０Ｓ」、「ＦＴＸ-７５０ＦＭ」、「ＦＴＸ-７３０ＦＭ」、「ＦＴＸ-７３０ＦＬ」、「ＦＴＸ-７１０ＦＳ」、「ＦＴＸ-７１０ＦＭ」、「ＦＴＸ-７１０ＦＬ」、「ＦＴＸ-７５０ＬＬ」、「ＦＴＸ-７３０ＬＳ」、「ＦＴＸ-７３０ＬＭ」、「ＦＴＸ-７３０ＬＬ」、「ＦＴＸ-７１０ＬＬ」（以上、ネオス社製）を適用することができる。
【００３４】
またさらに、「ＢＹＫ−３００」、「ＢＹＫ−３０２」、「ＢＹＫ−３０６」、「ＢＹＫ−３０７」、「ＢＹＫ−３１０」、「ＢＹＫ−３１５」、「ＢＹＫ−３２０」、「ＢＹＫ−３２２」、「ＢＹＫ−３２３」、「ＢＹＫ−３２５」、「ＢＹＫ−３３０」、「ＢＹＫ−３３１」、「ＢＹＫ−３３３」、「ＢＹＫ−３３７」、「ＢＹＫ−３４０」、「ＢＹＫ−３４４」、「ＢＹＫ−３７０」、「ＢＹＫ−３７５」、「ＢＹＫ−３７７」、「ＢＹＫ−３５０」、「ＢＹＫ−３５２」、「ＢＹＫ−３５４」、「ＢＹＫ−３５５」、「ＢＹＫ−３５６」、「ＢＹＫ−３５８Ｎ」、「ＢＹＫ−３６１Ｎ」、「ＢＹＫ−３５７」、「ＢＹＫ−３９０」、「ＢＹＫ−３９２」、「ＢＹＫ−ＵＶ３５００」、「ＢＹＫ−ＵＶ３５１０」、「ＢＹＫ−ＵＶ３５７０」、「ＢＹＫ−Ｓｉｌｃｌｅａｎ３７００」（以上、ビックケミー・ジャパン社製）を適用することができる。
【００３５】
また「ＴＥＧＯ  Ｒａｄ２１００」、「ＴＥＧＯ  Ｒａｄ２２００Ｎ」、「ＴＥＧＯ  Ｒａｄ２２５０」、「ＴＥＧＯ  Ｒａｄ２３００」、「ＴＥＧＯ  Ｒａｄ２５００」、「ＴＥＧＯ  Ｒａｄ２６００」、「ＴＥＧＯ  Ｒａｄ２７００」（以上、テゴ社製）を適用することができる。界面活性剤の好ましい添加量は、重合性液晶組成物中に含有される界面活性剤以外の成分や、使用温度等によって異なるが、重合性液晶組成物中に０．０１〜１質量％含有することが好ましく、０．０２〜０．５質量％含有することがさらに好ましく、０．０３〜０．１質量％含有することが特に好ましい。含有量が０．０１質量％より低いときは膜厚ムラ低減効果が得にくい。重合性液晶組成物は、次式の一般式で表される繰り返し単位を有する重量平均分子量が１００以上である化合物を含有させることが好ましく、この化合物の含有量と界面活性剤の含有量の合計が０．０２〜０．５質量％であることが好ましく、０．０５〜０．４質量％含有することがさらに好ましく、０．１〜０．２質量％含有することが特に好ましい。
【００３６】
【化１】
0006592879.tif 000002
【００３７】
これによりこの実施形態では、転写法により直線偏光板５、６に光学機能層１０、１１を配置する場合にあっても、十分に視野角特性を補償できるように構成され、その結果、転写法を利用できる分だけ、全体の厚みを薄くできるように構成される。
【００３８】
すなわちこのような視野角特性の補償においては、逆ハイブリッドの特性とは逆の、直線偏光板より遠ざかるに従って液晶材料が特定の水平方向に寝た状態から徐々に立ち上がって垂直方向に配向する特性であるハイブリッドの特性が必要とされる。これにより転写法により位相差層の上下方向が逆転することにより、ハイブリッドの特性による位相差層を適用したのでは、転写法を適用して十分に視野角特性を補償できない問題がある。しかしながらこの実施形態のように、逆ハイブリッドの特性による位相差層（光学機能層）にあっては、転写法により転写してハイブリッドの特性の位相差層となることにより、十分に視野角特性を補償することができる。これにより転写法を適用可能として全体の厚みを薄くすることができる。
【００３９】
図３は、光学機能層の計測結果を示す特性曲線図である。この図３において、符号Ｌ１が本実施形態に係る実施例の計測結果であり、符号Ｌ２、Ｌ３、Ｌ４が比較例である。この図３の実施例、比較例は、光学機能層が異なる点を除いて同一に作製されたものであり、厚み４０μｍのＰＥＴフィルム上に、塗工液を塗工、乾燥して垂直配向膜を作製した。ここで垂直配向膜用組成物には、日産化学工業（株）製の「ＥＸＰＯＡ−０１８」を使用した。塗工液は、この組成物をエタノール／ブチルセロソルブ系の溶媒に４％の濃度で溶かして作製した。乾燥は、乾燥温度１２０℃、５分間である。
【００４０】
実施例は、下記液晶化合物に開始剤としてＢＡＳＦ社製イルガキュア１８４、もしくはイルガキュア９０７を液晶材料に対して４％加えて、さらに空気界面側の水平配向性向上を目的としてＭＥＧＡＦＡＣ Ｆ−４７０を液晶材料に対して０．１％加えて、ＭＩＢＫ、シクロヘキサノン、またはＭＩＢＫとシクロヘキサノンの混合溶剤を用いて固形分濃度２５％に溶解して塗工液を作製した。さらにミヤバーにより基材に塗工して１１０℃設定で３分間の乾燥工程を経て、窒素雰囲気下でＦｕｓｉｏｎ社製のＨバルブで照射量が３８０ｍＪ／ｃｍ２になるように紫外線を照射して硬化することで固定化した。
【００４１】
【化２】
0006592879.tif 000003
【００４２】
また比較例１は、特表２０１０−５２２８９２号公報記載の化合物（１）、ＲＭ（１）、ＲＭ（３）の混合物を５：３：２の配合比で混合し、トルエン／シクロヘキサノンの７：３の混合溶剤に溶解させ、光重合開始剤として、Ｉｒｇ１８４（チバスペシャリティケミカルズ）を、固形分に対して５ｗｔ％添加し、固形分濃度が２５％になるように調整して光学機能層の塗工液を作製した。比較例１は、垂直配向膜の上に、この塗工液を塗工した後、乾燥温度６５℃で、１分間乾燥させ、Ｆｕｓｉｏｎ社製のＨバルブで照射量が３８０ｍＪ／ｃｍ２になるように紫外線を照射して硬化することで固定化した。
【００４３】
また比較例２は、メルク社製ＲＭＭ２８ＢをＭＩＢＫ／シクロヘキサノン＝７：３の混合溶剤に溶解させ、固形分濃度が２５％になるように調整して光学機能層の塗工液を作製した。垂直配向膜の上に、この塗工液を塗工した後、乾燥温度４０℃で、１分間乾燥させ、Ｆｕｓｉｏｎ社製のＨバルブで照射量が３８０ｍＪ／ｃｍ２になるように紫外線を照射して硬化することで固定化した。
【００４４】
また比較例３は、ＤＩＣ社製ＵＣＬ−０１８をＭＩＢＫ／シクロヘキサノン＝７：３の混合溶剤に溶解させ、固形分濃度が２５％になるように調整して光学機能層の塗工液を作製した。垂直配向膜の上に、この塗工液を塗工した後、乾燥温度７０℃で、１分間乾燥させ、Ｆｕｓｉｏｎ社製のＨバルブで照射量が３８０ｍＪ／ｃｍ２になるように紫外線を照射して硬化することで固定化した。なお面内位相差Ｒｅの計測は、王子計測機器（株）社製ＫＯＢＲＡ−ＷＲを用いて、計測波長５９０ｎｍにより計測した。
【００４５】
この図３の計測結果によれば、比較例においては、入射角０度を中心に、入射角θの正方向及び負方向で対称形状により面内位相差Ｒｅが計測され、入射角θの絶対値が大きくなるに従って面内位相差Ｒｅが増大している。これに対して実施例１では、この図３において、右肩上がりの特性により面内位相差Ｒｅが変化し、これにより逆ハイブリッドの特性の発現を見て取ることができる。
【００４６】
図４は、光学フィルム７、８の製造工程を示すフローチャートである。光学フィルム７、８の製造工程は、支持体２１に垂直配向膜１２を作製した後（ステップＳＰ２）、光学機能層１０を作製し（ステップＳＰ３）、これにより光学フィルム用転写体２０が作製される。また別工程で生産された直線偏光板５、６に、垂直配向膜１２と一体に光学機能層１０が転写されて光学フィルム７、８が作製される（ステップＳＰ４）。画像表示装置１は、このようにして作製した光学フィルム７、８が液晶セル９の入射面及び出射面に配置されて画像表示パネル３が作製される。
【００４７】
この実施形態によれば、４５０ｎｍ〜６５０ｎｍの波長λにおける斜め入射角θの位相差（Ｒｅθ（λ））が、Ｒｅ+θ（λ）とＲｅ-θ（λ）とで異なるように光学機能層を構成して光学フィルム用転写体を構成することにより、転写法により転写してハイブリッド型の特性により直線偏光板に貼り付けることができる。これにより全体の厚みを薄くして、視野角特性を補償することができる。
【００４８】
〔他の実施形態〕
以上、本発明の実施に好適な具体的な構成を詳述したが、本発明は、本発明の趣旨を逸脱しない範囲で、上述の実施形態の構成を種々に変更することができる。
【００４９】
すなわち上述の実施形態では、光学フィルム用転写体による光学機能層を直線偏光板に係る光学機能層に積層する場合について述べたが、本発明はこれに限らず、直線偏光板に係る光学機能層を基材により挟持した形態による直線偏光板に積層するようにして、この挟持に係る直線偏光板の基材に光学フィルム用転写体の光学機能層を貼り付けるようにしてもよい。
【００５０】
また上述の実施形態では、光学フィルム用転写体による光学機能層を直線偏光板に積層する場合について述べたが、本発明はこれに限らず、他の種々の光学部材に積層して所望の光学特性を確保する場合に広く適用することができる。
【符号の説明】
【００５１】
１    画像表示装置
２    バックライト装置
３    液晶表示パネル
５、６    直線偏光板
５Ａ、６Ａ    基材
５Ａ、５Ｂ、１０、１１    光学機能層
７、８    光学フィルム
９    液晶セル
１２、１３  垂直配向膜
２０  光学フィルム用転写体
２１  支持体
【図１】
0006592879.tif 000004
【図２】
0006592879.tif 000005
【図３】
0006592879.tif 000006
【図４】
0006592879.tif 000007